(57)【要約】【課題】扁平な部分を有した支持部についての不都合がより少ない新規な構成を有した映像表示装置を得る。【解決手段】実施形態にかかる映像表示装置は、筐体と、第一の支持部と、第二の支持部と、第三の支持部と、第四の支持部と、を備えた。筐体には、表示画面を有した表示装置が設けられた。第一の支持部は、平面上に載せられた場合の当該平面との直交方向における筐体の平面側に透明な領域を有し、板状である。第二の支持部は、第一の支持部の周縁部に位置された。第三の支持部は、第一の支持部および第二の支持部に支持され、平面上に載せられた場合の当該平面と交叉した方向に沿った軸回りに回動可能に筐体を支持した。第四の支持部は、第一の支持部が平面上に載せられた場合に第一の支持部の表示画面の前方側に位置した第一の端部がその反対側の第二の端部より平面に近い姿勢となるように第一の支持部を支持した。【選択図】図２
2014011485.tif 000002
【特許請求の範囲】
【請求項１】
表示画面を有した表示装置が設けられた筐体と、
平面上に載せられた場合の当該平面との直交方向における前記筐体の前記平面側に透明な領域を有した板状の第一の支持部と、
前記第一の支持部の周縁部に位置された第二の支持部と、
前記第一の支持部および第二の支持部に支持され、前記第一の支持部が平面上に載せられた場合の当該平面と交叉した方向に沿った軸回りに回動可能に前記筐体を支持した第三の支持部と、
前記第一の支持部が平面上に載せられた場合に前記第一の支持部の前記表示画面の前方側に位置した第一の端部がその反対側の第二の端部より前記平面に近い姿勢となるように前記第一の支持部を支持した第四の支持部と、
を備えた、映像表示装置。
【請求項２】
前記第四の支持部が、前記筐体に対して前記表示画面の後方側で前記第一の支持部を支持した、請求項１に記載の映像表示装置。
【請求項３】
前記第二の支持部と前記第四の支持部とが接続され、
前記第二の支持部の前記第四の支持部との接続部分が、前記第三の支持部と前記第四の支持部との間に位置された、請求項１または２に記載の映像表示装置。
【請求項４】
前記第二の支持部が、前記第一の支持部の端部を覆った、請求項１〜３のうちいずれか一つに記載の映像表示装置。
【請求項５】
前記第二の支持部が、前記第一の端部を覆った、請求項４に記載の映像表示装置。
【請求項６】
前記第一の支持部が合わせガラスである、請求項１〜５のうちいずれか一つに記載の映像表示装置。
【請求項７】
前記第一の支持部が、第一の部分と、当該第一の部分と重なり当該第一の部分より平面上に載せられた場合の当該平面から遠く前記第一の部分より薄い第二の部分と、を有した、請求項６に記載の映像表示装置。
【請求項８】
表示画面を有した表示装置が設けられた筐体と、
前記表示画面の反対側で前記筐体を回動可能に支持した回動支持部と、
前記回動支持部を支持し、当該回動支持部から前記表示画面の前方側に向かうにつれて、平面上に載せられた場合の当該平面から離れた側から近付く側に向かう扁平な第一の支持部と、
前記回動支持部を支持し、当該回動支持部から前記表示画面の後方側に向かうにつれて平面上に載せられた場合の当該平面から離れた側から近付く側に向かう傾斜部を有した第二の支持部と、
を備えた、映像表示装置。
【請求項９】
前記回動支持部は、その表示画面の前方側に位置し、前記表示画面の後方側に向かうにつれて平面上に載せられた場合の当該平面から離れた側から近付く側に向かう傾斜部を有した、請求項８に記載の映像表示装置。
【請求項１０】
表示装置が設けられた筐体と、
前記筐体を支持した支持構造と、
前記支持構造と接続され、前記支持構造が平面上に載せられた場合の当該平面との直交方向と交叉した方向に沿って広がった部材と、
を備え、
前記部材は、前記支持構造が平面上に載せられた場合の当該平面との直交方向の視線で前記筐体の前記平面側に前記支持構造とは重ならない透明な領域を有し、前記部材の周縁側で前記支持構造と接続された、映像表示装置。
【請求項１１】
前記部材は、前記支持構造を、当該支持構造が平面上に載せられた場合の当該平面より遠い側から覆った部分を有した、請求項１０に記載の映像表示装置。
【請求項１２】
前記支持構造は、前記部材を、前記支持構造が平面上に載せられた場合の当該平面と傾斜した状態に支持した、請求項１０または１１に記載の映像表示装置。
【発明の詳細な説明】
【技術分野】
【０００１】
本発明の実施形態は、映像表示装置に関する。
【背景技術】
【０００２】
従来、表示装置が設けられた筐体を扁平な部分を含むスタンドが支持した映像表示装置が、知られている。
【先行技術文献】
【特許文献】
【０００３】
【特許文献１】特開２０１２−０７８８５４号公報
【発明の概要】
【発明が解決しようとする課題】
【０００４】
映像表示装置では、表示装置を有した筐体の支持構造がスタンドの扁平な部分に収容された場合にあっては、例えば、支持構造が大きくなったり、支持構造の構成がより複雑化したりといった不都合がより少ないことが望ましい。
【０００５】
そこで、本発明の実施形態は、一例としては、扁平な部分を有した支持部についての不都合がより少ない新規な構成を有した映像表示装置を得ることを目的の一つとする。
【課題を解決するための手段】
【０００６】
本発明の実施形態にかかる映像表示装置は、筐体と、第一の支持部と、第二の支持部と、第三の支持部と、第四の支持部と、を備えた。筐体には、表示画面を有した表示装置が設けられた。第一の支持部は、平面上に載せられた場合の当該平面との直交方向における筐体の平面側に透明な領域を有し、板状である。第二の支持部は、第一の支持部の周縁部に位置された。第三の支持部は、第一の支持部および第二の支持部に支持され、平面上に載せられた場合の当該平面と交叉した方向に沿った軸回りに回動可能に筐体を支持した。第四の支持部は、第一の支持部が平面上に載せられた場合に第一の支持部の表示画面の前方側に位置した第一の端部がその反対側の第二の端部より平面に近い姿勢となるように第一の支持部を支持した。
【図面の簡単な説明】
【０００７】
【図１】図１は、第１実施形態にかかる映像表示装置の一例を前面側から見た斜視図である。
【図２】図２は、第１実施形態にかかる映像表示装置の一例を後面側から見た斜視図である。
【図３】図３は、第１実施形態にかかる映像表示装置の支持部の一例の平面図（上面図）である。
【図４】図４は、第１実施形態にかかる映像表示装置の支持部の一例の側面図である。
【図５】図５は、図３のV−V断面図である。
【図６】図６は、第１実施形態にかかる映像表示装置の支持部の第四の支持部の一例の斜視図である。
【図７】図７は、第１実施形態にかかる映像表示装置の支持部の第四の支持部に第二の支持部が組み合わせられた状態の一例が示された斜視図である。
【図８】図８は、図７の構成に第五の支持部が組み合わせられた状態の一例が示された斜視図である。
【図９】図９は、図８の構成に第一の支持部が組み合わせられた状態の一例が示された斜視図である。
【図１０】図１０は、図９の構成に第三の支持部が組み合わせられた状態の一例が示された斜視図である。
【図１１】図１１は、第１実施形態にかかる映像表示装置の支持部の一部の一例を下面側から見た斜視図である。
【図１２】図１２は、図１１のXII−XII線での分解断面図である。
【図１３】図１３は、図１１のXII−XII線での断面図である。
【図１４】図１４は、第１実施形態の変形例にかかる支持部の一部の図１３と同等位置での断面図である。
【図１５】図１５は、第２実施形態にかかる映像表示装置に含まれる支持部の一例の斜視図である。
【図１６】図１６は、第３実施形態にかかる映像表示装置に含まれる支持部の一例の斜視図である。
【発明を実施するための形態】
【０００８】
以下の例示的な複数の実施形態や変形例には、同様の構成要素が含まれている。よって、以下では、同様の構成要素には共通の符号が付されるとともに、重複する説明が省略される。また、以下の各図では、便宜上、方向が規定されている。筐体３Ａの可動範囲の中央位置（中立位置）で、Ｘ方向は、表示画面４ａに対する正面視（前面視）で右方（背面視（後面視）では左方）、Ｙ方向は、上方、Ｚ方向は、表示画面４ａの法線方向（手前方向）である。なお、本実施形態では、一例として、Ｙ方向は、テレビジョン受像機１Ａの支持部２Ａが平面Ｐ（載置面、載置平面、図４参照）上に載せられた場合の当該平面Ｐの法線方向に沿い、Ｘ方向およびＺ方向は、平面Ｐと平行である。
【０００９】
また、以下の実施形態や変形例では、映像表示装置がテレビジョン受像機として構成された場合が例示されるが、本実施形態にかかる映像表示装置は、これには限定されない。本実施形態にかかる映像表示装置は、扁平な支持部を含むスタンドを有した電子機器、具体的には、例えば、所謂オールインワン（ＡＩＯ）タイプのパーソナルコンピュータや、スマートテレビ、ディスプレイ装置、モニタ装置等として構成されることができる。
【００１０】
＜第１実施形態＞
本実施形態では、一例として、図１，２に示されるように、テレビジョン受像機１Ａ（映像表示装置、電子機器）は、支持部２Ａと筐体３Ａとを備える。具体的に、筐体３Ａには、表示装置４が設けられている。表示装置４の少なくとも一部が、筐体３Ａ内に収容されている。支持部２Ａ（スタンド、台部、脚部）は、筐体３Ａを支持する。支持部２Ａは、筐体３Ａを、移動可能（回動可能）に支持することができる。本実施形態では、一例として、支持部２Ａは、筐体３Ａを、支持部２Ａが平面Ｐ（図４参照）上に載せられた場合における当該平面Ｐとの直交方向に沿った軸Ａｘ回りに回動可能に支持する。すなわち、筐体３Ａは、支持部２Ａに、スイベル可能に支持されている。なお、支持部２Ａは、筐体３Ａを、例えば、チルト可能あるいはピボット可能に支持することができる。
【００１１】
筐体３Ａは、本実施形態では、一例として、図１，２に示されるように、正面視および背面視では四角形状（本実施形態では、一例として長方形状）に構成されている。また、筐体３Ａは、本実施形態では、一例として、前後方向に薄い扁平な直方体状に構成されている。筐体３Ａは、面３ａ（前面、正面、面部）とこの反対側の面３ｂ（後面、背面、面部）と、を有する。面３ａおよび面３ｂは、いずれも、筐体３Ａの厚さ方向と交叉する方向（本実施形態では、一例として直交する方向、ＸＹ平面）に沿って延びている（拡がっている）。面３ａと面３ｂとは略平行である。また、筐体３Ａは、図１，２に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３Ａは、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。また、本実施形態では、一例として、開口部３ｒは、透明な板状の部材３ｓ（部分、プレート、マスク、カバー、ガラス）で覆われている。
【００１３】
さらに、筐体３Ａは、複数の部品（分割体）が組み合わせられて構成されることができる。筐体３Ａは、本実施形態では、一例として、少なくとも壁部３ｋを含む筐体部材３１（前側部材、マスク、マスク部、カバー、フロントカバー、カバー部、部分、領域）と、少なくとも壁部３ｍを含む筐体部材３２（後側部材、ベース、ベース部、ボトム、ボトム部、カバー、リヤカバー、カバー部、部分、領域）とを有する。壁部３ｎは、筐体部材３１および筐体部材３２のうち少なくともいずれか一方（例えば、筐体部材３２）に含まれる。また、筐体３Ａは、筐体部材３１と筐体部材３２との間に位置した別の筐体部材（中間部材、隔部材、障壁部材、壁部材、介在部材、覆部材、インナプレート、ミドルプレート、ミドルフレーム、シールド、部分、領域、図示されず）を有することができる。筐体３Ａは、金属材料や合成樹脂材料等で構成されうる。なお、筐体部材３１や筐体部材３２の筐体３Ａ内側には、リブ等の壁部（突出部、突出壁部、図示されず）が設けられることができる。これら壁部により、筐体３Ａの剛性が高まりやすい。
【００１４】
また、本実施形態では、一例として、筐体３Ａの面３ａ，３ｂ，３ｐには、コネクタや、操作部、カメラモジュール（カメラ、撮像装置）等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。
【００１５】
また、本実施形態では、一例として、図１に示されるように、表示装置４（表示部、ディスプレイ、パネル）の、面３ａ側に位置した表示画面４ａは、開口部３ｒおよび部材３ｓを介して筐体３Ａの前方（外方）から視認可能である。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）に、タッチパネル５（一例としては入力操作パネル、タッチセンサ、操作部）が設けられることができる。タッチパネル５は、一例としては部材３ｓの裏側（表示装置４側、背面側、後面側）に設けることができる。この場合、タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす、等の操作を行うことで、入力処理を実行することができる。また、表示装置４の表示画面４ａから出た光は、壁部３ｋの開口部３ｒからタッチパネル５および部材３ｓを通過（透過）して筐体３Ａの前方（外方）へ出る。
【００１７】
そして、本実施形態では、一例として、筐体３Ａ内には、表示装置４の後側（裏側、背後側、壁部３ｍ側、表示画面４ａとは反対側）に、一つ以上の基板（回路基板、制御基板、メイン基板、電気部品、部品、図示されず）が収容されている。基板は、表示装置４と略平行に設けられている。基板は、表示装置４の裏面（図示されず）に当該裏面と間隔をあけて固定されることができる。基板は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。筐体３Ａ内には、複数の基板が収容されることができる。また、筐体３Ａ内には、基板に設けられていない電気部品や電子部品が収容されることもできる。
【００１９】
また、本実施形態では、一例として、図２〜５に示されるように、支持部２Ａ（支持構造、スタンド）は、複数の部品２１Ａ〜２６Ａを有している。部品２１Ａは、図２に示されるように、筐体３Ａの壁部３ｍ（面３ｂ）の端部３ｅの中央部に取り付けられる。部品２１Ａは、支持部２Ａと筐体３Ａとの接続部の一例である。部品２１Ａは、図５に示されるように、スイベル構造２７Ａを介して、部品２２Ａ（第三の支持部、支持部、部材、部分、回動支持部）に、軸Ａｘ回りに回動可能に支持されている。軸Ａｘは、支持部２Ａが平面Ｐ上に載せられた場合の当該平面Ｐとの直交方向に沿っている。部品２２Ａは、その表示画面４ａの前方側（図４，５では左側）に、傾斜部２２ｂを有している。傾斜部２２ｂは、表示画面４ａの後方側に向かうにつれて、平面Ｐ上に載せられた場合の当該平面Ｐから離れた側から近付く側に（図４，５では右下がりに）向かっている。部品２１Ａ，２２Ａは、一例として、金属材料や合成樹脂材料等で構成されうる。
【００２０】
また、本実施形態では、一例として、図３，５等に示されるように、部品２３Ａ（第一の支持部、支持部、部材、部分）は、扁平であり、四角形状（本実施形態では、一例として長方形状）かつ板状に構成されている。部品２３Ａは、面２３ａ（上面、天面、表面）とその反対側の面２３ｂ（下面、底面、裏面）とを有している。また、部品２３Ａは、四つの端部２３ｃ〜２３ｆ（辺部、縁部）と、四つの角部２３ｇ〜２３ｊ（尖部、曲部、端部）と、を有する。端部２３ｃ，２３ｅは、長辺部の一例である。端部２３ｄ，２３ｆは、短辺部の一例である。また、角部２３ｇ〜２３ｊは、曲がった形状に構成されている。
【００２１】
また、本実施形態では、一例として、部品２３Ａは、透明（無色透明、あるいは有色透明、本実施形態では、一例として無色透明）な領域を有し、ガラス、強化ガラス、特殊ガラス、合わせガラス、あるいは透明な合成樹脂材料等で構成されている。部品２３Ａの透明な領域は、少なくとも、部品２３Ａの中央部（周縁部（端部２３ｃ〜２３ｆ）より内側の部分）であって平面視（平面Ｐと直交する方向の視線、図３の視線）で筐体３Ａの平面Ｐ側となる部分に存在し、本実施形態では、一例として、部品２３Ａの全体が無色透明である。部品２３Ａは、部分的にコーティングされたり、マスキングされたり、印刷されたりすることができる。すなわち、部品２３Ａは、透明ではない部分を有することができる。透明ではない部分は、部品２３Ａの周縁部や、他の部品２１Ａ，２２Ａ，２４Ａ〜２６Ａ等と接触したり視覚的に重なったりする部分等に設けることができる。本実施形態では、一例として、部品２３Ａが透明であることにより、例えば、表示装置４の正面側から支持部２Ａの背面側が視認できたり、支持部２Ａの周囲が広く見えたり明るくなったりするなど、視覚的な効果が得られる。また、部品２３Ａには、結合具３０（図５参照）が通される開口部２３ｋ（本実施形態では、一例として貫通孔）が設けられる。
【００２２】
また、本実施形態では、一例として、図３〜６等に示されるように、部品２４Ａ（第四の支持部、支持部、部材、部分、第二の支持部）は、平面Ｐに沿って長く延びた棒状に構成されている。部品２４Ａは、部品２３Ａの端部２３ｃに沿って延びている。部品２４Ａは、平面状の面２４ａ（上面、天面、接面、支面）を有している。この面２４ａに、他の部品（本実施形態では、一例として部品２５Ａ，２６Ａ）が接触する。このように、面２４ａを平面状に構成することで、他の部品との間の面圧がより低くなりやすい。また、部品２４Ａには、他の部品と結合するための形状や構成（例えば、開口部２４ｂ（貫通孔）や、結合部２４ｃ（雌ねじ孔）等）が設けられている。また、部品２４Ａの内部には空洞（空間、室、図示されず）を設けることができる。その場合、空洞の開口部は、一例としては、面２４ｄ（下面、底面、接面、支面）や、面２４ｅ（背面、後面、裏面）に開放されることができる。また、部品２４Ａは、傾斜部２４ｆを有している。傾斜部２４ｆは、部品２２Ａから表示画面４ａの後方側（背面側）に向かうにつれて、平面Ｐ上に載せられた場合の当該平面Ｐから離れた側から近付く側に（図４，５では右下がりに）向かっている。なお、本実施形態では、一例として、部品２４Ａは、全体として傾斜している。また、部品２４Ａは、ケースと壁部（リブ）とを有した構成とすることができる。部品２４Ａは、一例として、金属材料や合成樹脂材料等で構成されうる。部品２４Ａは、複数に分割して設けることも可能である。
【００２３】
また、本実施形態では、一例として、図３，７に示されるように、部品２５Ａ（第二の支持部、支持部、部材、部分）は、部品２３Ａの周囲を囲う四角形状（長方形状）かつ枠状に構成されている。部品２５Ａは、図７に示されるように、部品２３Ａの端部２３ｃ〜２３ｆに沿った端部２５ａ〜２５ｄを有している。また、図１２，１３等に示されるように、各端部２５ａ〜２５ｄは、三方から囲う壁部２５ｅ〜２５ｇを有している。すなわち、各端部２５ａ〜２５ｄは、Ｃ字状の断面を有している。また、部品２５Ａは、端部２３ｃに沿った端部２５ａの壁部２５ｇから枠内側に向けて突出した（張り出した）壁部２５ｈ（フランジ部、接続部分）を有している。この壁部２５ｈには、開口部（貫通孔や切欠等、本実施形態では、一例として貫通孔、図示されず）が設けられている。図７に示されるように、壁部２５ｈは、部品２４Ａの面２４ａに載せられる。そして、壁部２５ｈに設けられた開口部を貫通した結合具３０が部品２４Ａの結合部２４ｃ（図６参照）に結合されることで、部品２５Ａと部品２４Ａとが結合（一体化）される。部品２５Ａは、一例として、金属材料や合成樹脂材料等で構成されうる。また、部品２５Ａは、一例として、押出成形によって構成することができる。部品２５Ａには、開口部２５ｊが設けられている。開口部２５ｊには、部品２３Ａが収容される。
【００２４】
本実施形態では、一例として、部品２５Ａは、所要の剛性および強度を有し、部品２３Ａと並列な筐体３Ａの支持機能を有する。すなわち、何らかの原因で不本意に部品２３Ａの支持機能が損なわれた場合にあっても、部品２５Ａによって所要の支持機能が確保されやすく、逆に、何らかの原因で不本意に部品２５Ａの支持機能が損なわれた場合にあっても、部品２３Ａによって所要の支持機能が確保されやすい。すなわち、本実施形態では、一例として、部品２３Ａと部品２５Ａとによって、筐体３Ａの支持機能について、二重系が構築されている。
【００２５】
さらに、本実施形態では、一例として、部品２５Ａは、部品２３Ａの端部２３ｃ〜２３ｆ（端面）の保護機能を有している。すなわち、部品２３Ａの端部２３ｃ〜２３ｆが露出している場合に比べて、部品２３Ａがより損傷しにくい。また、部品２５Ａが端部２３ｅの平面Ｐ側（下側）を覆う壁部２５ｇ（端部２３ｅを覆う端部２５ｃ、図１１〜１３参照）を有することで、載置面（平面Ｐ等）側から端部２３ｅに直接外力（反力）が作用しないため、端部２３ｅがより損傷しにくい。
【００２６】
また、本実施形態では、一例として、部品２６Ａ（第五の支持部、支持部、部材、部分）は、図５に示されるように、部品２５Ａ（の壁部２５ｈ）ならびに部品２４Ａ（の面２４ａ）と、部品２３Ａ（の面２３ｂ）との間に挟まれる（介在する）。部品２６Ａは、図８に示されるように、板状かつ枠状に構成され、部品２３Ａの端部２３ｃ〜２３ｆに沿った端部２６ａ〜２６ｄを有している。また、部品２６Ａは、端部２３ｃに沿った端部２６ａから枠内側に向けて突出した（張り出した）壁部２６ｅ（接続部分、フランジ部）を有している。この壁部２６ｅには、開口部２６ｇ（貫通孔や切欠等、本実施形態では、一例として貫通孔）が設けられている。また、壁部２６ｅの図８の視線で裏側には、壁部２５ｈが収容された凹部２６ｆ（図５参照）が設けられている。部品２６Ａは、一例として、合成樹脂材料や金属材料等で構成されうる。部品２６Ａが、部品２３Ａや部品２５Ａ等より柔軟な、変形しやすい、あるいは強度の低い材料で構成された場合、部品２６Ａは、部品２３Ａに作用する荷重を和らげる緩衝部材（衝撃吸収部材）としての機能、あるいは部品２３Ａを保護する保護部材としての機能を有する。また、部品２６Ａが金属材料等の比較的硬質な材料で構成された場合、当該部品２６Ａと少なくとも部品２３Ａとの間には、緩衝部材（例えばシート状の緩衝部材、保護部材）が介在する。また、部品２６Ａの面２６ｈ（上面、天面、表面）に、模様や、デザイン、文字、形状等を施すことができる。すなわち、部品２６Ａを、加飾部材あるいは意匠部材として利用することができる。
【００２７】
そして、図９，５に示されるように、図８の構成の上に、部品２３Ａが載せられ、さらに、図１０，５に示されるように、図９の構成の上に、部品２２Ａが載せられる。そして、図５に示されるように、開口部２４ｂ，２６ｇ，２３ｋを通された結合具３０が、部品２２Ａに設けられた結合部２２ａに結合されることで、部品２４Ａ，２６Ａ，２３Ａ，２２Ａが、この順に重なった状態に結合される（一体化される）。これにより、部品２１Ａ〜２６Ａが一体化された支持部２Ａが構成される。すなわち、本実施形態では、一例として、部品２３Ａや部品２６Ａ等が、部品２２Ａと部品２４Ａとの間に介在している。よって、一例としては、これら部品の結合構造がより簡素化されやすい。また、一例としては、複数の部品２２Ａ〜２６Ａがより容易に組み立てられやすい。また、一例としては、筐体３Ａの荷重（質量）が部品２１Ａおよび部品２２Ａを介して部品２３Ａ〜２６Ａに分散される構成が、比較的簡素な構成として得られやすい。
【００２８】
本実施形態では、一例として、図４，５に示されるように、部品２２Ａが、部品２３Ａ、部品２４Ａ、および部品２５Ａによって、支持部２Ａが平面Ｐ上に載せられた場合の当該平面Ｐから離間した状態で、支持されている。部品２４Ａは、部品２３Ａが平面Ｐ上に載せられた場合に部品２３Ａの表示画面４ａの前方側に位置した端部２３ｅがその反対側（表示画面４ａの後方側）に位置した端部２３ｃより平面Ｐに近い姿勢（本実施形態では、一例として傾斜した姿勢）となるように部品２３Ａを支持している。部品２３Ａ，２４Ａ，２５Ａの構成や形状は、種々に変更して実施することができる。
【００２９】
さらに、本実施形態では、一例として、図１１〜１３に示されるように、部品２５Ａの、部品２３Ａの角部２３ｇ〜２３ｊに対応した（を覆う）部分では、壁部２５ｇが切り欠かれている。よって、部品２５Ａは、角部２３ｇ〜２３ｊに沿って曲がりやすい。そして、壁部２５ｇの切欠２５ｉに、部品２６Ａに設けられた突出部２６ｉ（突起）が収容されている。すなわち、突出部２６ｉは、切欠２５ｉ（開口部）を埋めている。よって、本実施形態によれば、一例としては、部品２５Ａの切欠２５ｉが設けられた部分で、支持部２Ａの剛性および強度が低下するのが抑制されやすい。また、本実施形態では、一例として、突出部２６ｉが部品２５Ａの壁部２５ｇの面２５ｋ（下面、底面、裏面）より突出している。よって、突出部２６ｉが弾性体（合成樹脂材料、エラストマ等）で構成された場合、この突出部２６ｉは緩衝部材（保護部材、衝撃吸収部材）として機能することができる。
【００３０】
以上、説明したように、本実施形態では、一例として、テレビジョン受像機１のスタンドとしての支持部２Ａは、部品２３Ａ（第一の支持部）と、部品２５Ａ（第二の支持部）と、部品２２Ａ（第三の支持部）と、部品２４Ａ（第四の支持部）と、を備える。部品２３Ａは、平面Ｐ上に載せられた場合の当該平面Ｐとの直交方向における筐体３Ａの平面Ｐ側に透明な領域を有し、板状（扁平）である。部品２５Ａは、部品２３Ａの周縁部に位置される。部品２２Ａは、部品２３Ａおよび部品２５Ａに支持され、平面Ｐ上に載せられた場合の当該平面Ｐと交叉した方向に沿った軸Ａｘ回りに回動可能に筐体３Ａを支持する。また、部品２４Ａは、部品２３Ａが平面Ｐ上に載せられた場合に部品２３Ａの表示画面４ａの前方側に位置した端部２３ｅ（第一の端部）がその反対側に位置した端部２３ｃ（第二の端部）より平面Ｐに近い姿勢となるように部品２３Ａを支持する。よって、本実施形態によれば、一例としては、支持部２Ａが平面Ｐ上に載せられた場合の当該平面Ｐと直交する方向の視線で部品２３Ａと部品２４Ａとが重なる領域がより小さくなりやすい。また、本実施形態によれば、一例としては、部品２３Ａと部品２５Ａとの二重系を構築することができる。
【００３１】
また、本実施形態では、一例として、部品２４Ａが、部品２３Ａの前後方向の中央部よりも後方側（本実施形態では、一例として、筐体３Ａの表示画面４ａより後方側、筐体３Ａ（の面３ｂ）に対して表示画面４ａの後方側）で、部品２３Ａを支持する。よって、本実施形態によれば、一例としては、前方側（正面側）からの視線で、部品２４Ａがより見えにくくなる。また、一例としては、部品２３Ａと部品２４Ａとが重なる領域がより小さくなりやすい。
【００３２】
また、従来の扁平な部分を有したスタンド（支持部）では、当該扁平な部分には金属材料等で構成された支持構造が収容され、板状のカバーがこの支持構造を覆っていた。よって、カバーが透明であると、内部の支持構造が透けて見えて美観が損なわれるため、カバーを透明にしにくい場合があった。この点、本実施形態では、一例として、部品２３Ａは、部品２２Ａ（回動支持部）から表示画面４ａの前方側（正面側）に向かうにつれて、平面Ｐ上に載せられた場合の当該平面Ｐから離れた側から近付く側に（図４では左下がりに）傾斜し、部品２４Ａは、傾斜部２４ｆを有している。傾斜部２４ｆは、部品２２Ａから表示画面４ａの後方側（背面側）に向かうにつれて、平面Ｐ上に載せられた場合の当該平面Ｐから離れた側から近付く側に（図４では右下がりに）向かっている。よって、本実施形態によれば、一例としては、部品２３Ａが筐体３Ａの支持部として機能するため、部品２３Ａ以外の支持構造がより小さくなりやすく、部品２３Ａの透明な領域がより拡大されやすい。なお、本実施形態では、一例として、部品２４Ａ自体が、部品２２Ａから表示画面４ａの後方側に向かうにつれて、平面Ｐ上に載せられた場合の当該平面Ｐから離れた側から近付く側に向かっている。
【００３３】
さらに、本実施形態では、一例として、部品２２Ａの前方側の傾斜部２２ｂは、表示画面４ａの後方側に向かうにつれて、平面Ｐ上に載せられた場合の当該平面Ｐから離れた側から近付く側に（図４では右下がりに）向かっている。よって、本実施形態によれば、一例としては、表示画面４ａの前方側からの視線で、部品２２Ａや部品２４Ａの見える領域がより減りやすい。
【００３４】
また、本実施形態では、一例として、部品２５Ａの部品２４Ａとの接続部分としての壁部２５ｈが、部品２３Ａと部品２４Ａとの間に位置された。よって、本実施形態によれば、一例としては、部品２５Ａと部品２４Ａとがより簡素な構成によって接続されやすい。
【００３５】
また、本実施形態では、一例として、部品２５Ａ（の壁部２５ｅ〜２５ｇ）が、部品２３Ａの端部２３ｃ〜２３ｆを覆った。よって、本実施形態によれば、一例としては、部品２３Ａの端部２３ｃ〜２３ｆが損傷するのが抑制されやすい。
【００３６】
また、本実施形態では、一例として、部品２５Ａが、部品２３Ａの端部２３ｅを覆った。よって、本実施形態によれば、一例としては、載置面側から作用する外力等によって端部２３ｅが損傷するのが抑制されやすい。
【００３７】
＜変形例＞
図１４に示される変形例にかかる支持部２Ｂは、支持部２Ａに替えることができる。そして、本変形例にかかる支持部２Ｂは、部品２３Ａに替えて、合わせガラスとしての部品２３Ｂ（第一の支持部）を有している。本変形例によれば、一例としては、部品２３Ｂの強度がより増大しやすい。また、部品２３Ｂは、例えば接着層（図示されず）を介して互いに接合された第一のガラス２３ｍ（第一の部分）と第二のガラス２３ｎ（第二の部分）とを有する。第一のガラス２３ｍは、平面Ｐ上に載置した場合の当該平面Ｐに近い側（下側、図１４では上側）に配置される。第二のガラス２３ｎ（厚さ：ｔ２）は、第一のガラス２３ｍより平面Ｐから遠い側（上側、図１４では下側）に重ねられ、第一のガラス２３ｍ（厚さ：ｔ１）より薄い（ｔ２＜ｔ１）。よって、本変形例によれば、一例としては、物体等が部品２３Ｂ上に落下して当たるなどして部品２３Ｂに上方から外力が作用した場合に、下側に配置された第一のガラス２３ｍより先に上側に配置された第二のガラス２３ｎが損傷しやすい。よって、一例としては、使用者等は、第二のガラス２３ｎに損傷が生じたことに気づきやすくなる。よって、一例としては、支持部２Ｂの交換が促進されやすい。また、一例としては、第二のガラス２３ｎが損傷した状態にあっても、第一のガラス２３ｍによって、所要の剛性や強度が保たれやすい。
【００３８】
また、本変形例では、支持部２Ｂは、部品２６Ａを有していない。部品２５Ａの切欠２５ｉには、部品２８Ｂ（スペーサ）が収容されている。部品２８Ｂは、部品２３Ｂの角部２３ｇ〜２３ｊ毎に設けられている。部品２８Ｂは、弾性部材（例えば、エラストマ、合成樹脂材料等）で構成されることができる。その場合、部品２８Ｂは、切欠２５ｉに、図１４の上方側（設置状態での下方側（裏面側））から差し込まれて装着されることができる。また、本変形例では、部品２３Ｂと部品２５Ａとの間には、シート状、薄板状、あるいはフィルム状の緩衝部材２９（保護部材、衝撃吸収部材）が介在することができる。本変形例によっても、上記第１実施形態と同様の構成に基づく同様の結果（効果）が得られる。
【００３９】
＜第２実施形態＞
図１５に示される第２実施形態にかかる支持部２Ｃは、支持部２Ａに替えて用いることができる。本実施形態にかかる支持部２Ｃは、部品２５Ａに替えて部品２５Ｃを有している。部品２５Ｃは、一例としては、棒状（線状、長尺状、例えば、丸棒状や、角棒状、円管状等）の部材が折り曲げられて構成されることができる。本実施形態でも、部品２３Ａと部品２５Ｃとの二重系が構成されている。なお、部品２４Ａに替わる部品２４Ｃの下部には、部品２５Ｃの一部が収容される（通される）凹部（図示されず）が設けられている。部品２４Ｃと部品２５Ｃとは、当該凹部で互いに重なる部分で、結合具（ねじ等、図示されず）や溶接等によって接続されることができる。部品２５Ｃは、部品２３Ａの端部２３ｅに沿って当該端部２３ｅと平行に延びた部分２５ｍ（延部、アーム部）、部品２３Ａの端部２３ｄ，２３ｆに沿って当該端部２３ｄ，２３ｆと平行に延びた部分２５ｎ，２５ｐ（延部、アーム部）とを有する。部品２５Ｃでは、これら部分２５ｍ，２５ｎ，２５ｐがＵ字状に配置されている。部品２４Ｃと部品２５Ｃとで、開口部２ａが形成されている。部品２３Ａは、開口部２ａを覆っている。部品２５Ｃは、一例としては、金属材料や合成樹脂材料等で構成されうる。本実施形態によっても、上記実施形態や変形例と同様の機能を有した構成や形状に基づく同様の結果が得られる。
【００４０】
＜第３実施形態＞
図１６に示される第３実施形態にかかる支持部２Ｄは、支持部２Ａに替えて用いることができる。本実施形態にかかる支持部２Ｄは、上記第２実施形態の部品２４Ｃ、部品２５Ｃ、および部品２２Ａに替わる、部品２５Ｄを有している。すなわち、部品２５Ｄは、上記第２実施形態の部品２４Ｃ，２５Ｃ，２２Ａの三つの機能を有している。部品２５Ｄは、部品２５Ｃと同様の機能を有した部分２５ｍ，２５ｎ，２５ｐを有する。また、部分２５ｎ，２５ｐには、上方（平面Ｐに載せられた場合の当該平面Ｐから離れる方向）に向けて突出した突出部２５ｒ（突起）が設けられている。この突出部２５ｒは、部品２４Ｃと同様の機能を有する。すなわち、突出部２５ｒは、部品２３Ａを上記実施形態と同様の姿勢（本実施形態では、一例として傾斜した姿勢）となるように支持している。また、部品２５Ｄは、部分２５ｎ，２５ｐに接続され部分２５ｍとは反対側に位置された部分２５ｓと、当該部分２５ｓから上方に突出した部分２５ｔと、を有する。部分２５ｔは、部品２２Ａと同様の機能を有している。なお、本実施形態では、部品２５Ｄは、部品２１Ａを軸Ａｘ回りに回動可能に支持する機能は有していない。しかし、部品２５Ｄと部品２１Ａとの間にスイベル構造２７Ａ（回動支持構造）を有した部品２２Ａを介在させて、部品２２Ａによって部品２１Ａを回動可能に支持することは、可能である。本実施形態では、一例として、部品２３Ａ（部材）は、筐体３Ａの支持には寄与していない。すなわち、支持部２Ｄ（支持構造）には、部品２５Ｄが含まれ、部品２３Ａは含まれない。また、部品２５Ｄと部品２３Ａとは、結合具（一例としてはねじ、図示されず）や、部品（図示されず）、接着剤等によって、互いに接合されている。部品２５Ｄは、一例としては、金属材料や合成樹脂材料等で構成されうる。本実施形態によっても、上記実施形態や変形例と同様の機能を有した構成や形状に基づく同様の結果が得られる。
【００４１】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質、色、透明度、屈折率、反射率等）は、適宜に変更して実施することができる。例えば、上記実施形態や変形例に示された支持部（支持構成）の各部品の構成や、形状、配置、組み合わせ等はあくまで一例である。すなわち、例えば、複数の支持部を統合した部品を有する構成としたり、一つの支持部を複数の部品を有する構成としたりする等、上記実施形態や変形例以外の支持部（支持構成）の構成や、形状、配置、組み合わせ等を採用することができる。また、第一の支持部は、完全に平坦（平板状）である必要はないし、多少の凹凸を有してもよい。また、上記実施形態や変形例では第一の支持部（部品２３Ａ，２３Ｂ）はいずれも透明であったが、第一の支持部が不透明である場合にあっても、例えば支持部をより簡素化できたり、美観が向上したりといった利点が得られる。また、第二の支持部のスペックも種々に変更して構成することが可能である。
【符号の説明】
【００４２】
１Ａ…テレビジョン受像機（映像表示装置）、２Ａ〜２Ｄ…支持部（支持構造）、４…表示装置、４ａ…表示画面、２２Ａ…部品（第三の支持部、回動支持部）、２２ｂ…傾斜部、２３Ａ…部品（第一の支持部、部材）、２３Ｂ…部品（合わせガラス、第一の支持部）、２３ｃ…端部（第二の端部）、２３ｅ…端部（第一の端部）、２３ｄ，２３ｆ…端部、２３ｍ…第一のガラス（第一の部分）、２３ｎ…第二のガラス（第二の部分）、２４Ａ，２４Ｃ…部品（第四の支持部、第二の支持部）、２４ｆ…傾斜部、２５Ａ，２５Ｃ…部品（第二の支持部）、２５Ｄ…部品、２５ｈ…壁部（接続部分）、Ｐ…平面。
【図１】
2014011485.tif 000003
【図２】
2014011485.tif 000004
【図３】
2014011485.tif 000005
【図４】
2014011485.tif 000006
【図５】
2014011485.tif 000007
【図６】
2014011485.tif 000008
【図７】
2014011485.tif 000009
【図８】
2014011485.tif 000010
【図９】
2014011485.tif 000011
【図１０】
2014011485.tif 000012
【図１１】
2014011485.tif 000013
【図１２】
2014011485.tif 000014
【図１３】
2014011485.tif 000015
【図１４】
2014011485.tif 000016
【図１５】
2014011485.tif 000017
【図１６】
2014011485.tif 000018